(57)【要約】【課題】  床パンに対する浴槽の位置がずれても浴槽の水を確実に排水できる浴槽の排水構造を提供すること。【解決手段】  浴槽１０の底部に設けた排水口部材１６に連通し、浴槽１０の底部から下方に延びる連結部１７と、床パン２０に設けた排水口部材２１とを、筒状の接続部材２８を用いて連通させて浴槽の排水構造を構成した。また、床パン２０の上面に凹部２３を設け、この凹部２３内に中央に連通穴２６が形成されたリング状の移動部材２４を、抜け止めした状態で水平方向に移動可能に設けた。そして、接続部材２８の下端部を移動部材２４に固定し、浴槽１０を設置したときに、接続部材２８の上部を連結部１７が押圧するようにした。また、移動部材２４を凹部２３に着脱可能にした。【選択図】  図１
2007154545.tif 000002
【特許請求の範囲】
【請求項１】
浴槽の底部に設けられた浴槽排水口を、床パンに設けられた床パン排水口の上方に位置させ、前記浴槽排水口と前記床パン排水口とを可撓性を備えた筒状の接続部材を用いて接続する浴槽の排水構造であって、前記浴槽の底部に、前記浴槽排水口に連通して下方に延びる円筒状の連結部を設けるとともに、前記床パンの上面に、中央に前記床パン排水口に連通する連通穴が形成されたリング状の移動部材を、水平方向における所定範囲で移動可能な状態で設け、前記連結部の内部と前記移動部材の連通穴とを前記接続部材を介して連通したことを特徴とする浴槽の排水構造。
【請求項２】
前記床パンにおける床パン排水口の内周面の上端部に、前記床パン排水口の外周側に向って水平方向に広がる移動部材収容凹部を設けるとともに、前記移動部材収容凹部の外周部上端に、前記移動部材収容凹部の外周部上端から前記移動部材収容凹部の内部側に向って水平方向に延び中央に前記床パン排水口よりも直径が大きな挿通穴が形成された抜け止め部を設け、前記抜け止め部によって抜け止めした状態で、前記移動部材を前記移動部材収容凹部内に移動可能に設置した請求項１に記載の浴槽の排水構造。
【請求項３】
前記抜け止め部の挿通穴を、円形の穴部周縁の所定部分に、前記穴部周縁から外側に突出する切欠き部を設けた形状に形成するとともに、前記移動部材を前記挿通穴と略等しい形状で、かつ前記挿通穴を挿通できる大きさに形成し、前記移動部材を前記移動部材収容凹部内に入れた状態で軸周り方向に回転すると、前記移動部材の円形部分から突出した部分が前記抜け止め部に係合して前記移動部材が前記移動部材収容凹部から抜け止めされるようにした請求項２に記載の浴槽の排水構造。
【請求項４】
前記接続部材の上端部を前記連結部の下端側部分に固定し、前記接続部材の下端部を前記移動部材に追従して移動できるように前記移動部材に付勢または接続した請求項１ないし３のうちのいずれか一つに記載の浴槽の排水構造。
【請求項５】
前記接続部材を弾性を備え上端開口が外側に向って広がった略蛇腹状の部材で構成して、前記接続部材の下端部を前記移動部材に固定するとともに、前記接続部材の上端開口内に前記連結部の下端部を位置決めし、前記接続部材の上端部が前記連結部に追従して移動できるように前記接続部材を前記連結部に付勢した請求項１ないし３のうちのいずれか一つに記載の浴槽の排水構造。
【発明の詳細な説明】
【技術分野】
【０００１】
本発明は、浴槽と浴槽を設置するための床パンの間に設けられ、浴槽からの排水を床パンに設けられた排水口を介して外部に排出するための浴槽の排水構造に関する。
【背景技術】
【０００２】
従来から、ユニット型の浴室の中には、浴槽設置用の床パンの上面に浴槽を設置し、浴槽と床パンとの間に排水構造を設けたものがある（例えば、特許文献１参照）。この排水構造では、浴槽の底部に、浴槽内の水を排出するための浴槽排水口が設けられており、この浴槽排水口の下部側に、浴槽の底部から下方に突出する排水ノズルが形成されている。そして、排水ノズルを覆うようにして蛇腹状の可撓排水管が設置され、この可撓排水管の下端部が、床パンに形成された排水口に接続されている。
【０００３】
また、床パンの排水口には、床パンの下方に延びるＬ形排水管が接続されている。このため、浴槽から排出される水は浴槽排水口から排水ノズルに送られ、排水ノズルから可撓排水管、床パンの排水口およびＬ形排水管を介して外部に排出される。また、この排水構造では、排水ノズルの外周面と可撓排水管の内周面との間に大きな隙間を設けて、浴槽の設置位置に自由度を持たせている。
【特許文献１】特開平１０−７５９０８号公報
【発明の開示】
【０００４】
しかしながら、前述した従来の排水構造では、排水ノズルと可撓排水管との間の隙間が大きいため、排水ノズルから可撓排水管に流れる水が逆流して、床パンの上面に流れ込むおそれがある。この結果、床パンの上面に流れた水が原因となって、カビや異臭が発生するという問題が生じる。また、排水ノズルの周囲に可撓排水管が位置しているため、排水ノズルに他の部材、例えば、浴槽排水口を開閉するための排水栓を作動させるケーブルを通すための配管等を連結することができないという問題もある。
【０００５】
本発明は、前述した問題に対処するためになされたもので、その目的は、床パンに対する浴槽の位置がずれても浴槽の水を確実に排水できる浴槽の排水構造を提供することである。
【０００６】
前述した目的を達成するため、本発明に係る浴槽の排水構造の構成上の特徴は、浴槽の底部に設けられた浴槽排水口を、床パンに設けられた床パン排水口の上方に位置させ、浴槽排水口と床パン排水口とを可撓性を備えた筒状の接続部材を用いて接続する浴槽の排水構造であって、浴槽の底部に、浴槽排水口に連通して下方に延びる円筒状の連結部を設けるとともに、床パンの上面に、中央に床パン排水口に連通する連通穴が形成されたリング状の移動部材を、水平方向における所定範囲で移動可能な状態で設け、連結部の内部と移動部材の連通穴とを接続部材を介して連通したことにある。
【０００７】
前述した本発明の浴槽の排水構造では、床パンの上面における床パン排水口の周囲に、水平方向における所定範囲内で移動可能になったリング状の移動部材を設けている。そして、この移動部材と、浴槽の底部に設けられた筒状の連結部との間を、可撓性を備えた筒状の接続部材で接続している。したがって、浴槽が気温の変化により収縮したり膨張したりして、浴槽排水口と床パン排水口との間に位置ずれが生じた場合に、浴槽とともに接続部材が移動すると、接続部材の移動に追従して移動部材も移動する。
【０００８】
このため、連結部と接続部材との接続部分または接続部材と移動部材との接続部分が外れて、浴槽から排出される水が床パンの上面に流れることが防止される。また、浴槽を床パンの上面に設置する際に、寸法誤差等により浴槽の位置が多少ずれていても、浴槽とともに接続部材が移動し、接続部材の移動に追従して移動部材も移動する。このため、浴槽の設置が容易になる。この発明における接続部材は、蛇腹状の筒状部材で構成して、所定範囲で伸縮できるようにすることが好ましい。また、移動部材が移動できる所定範囲は、移動部材の連通穴と床パン排水口との連通状態を適正に維持できる範囲とする。
【０００９】
また、本発明に係る浴槽の排水構造の他の構成上の特徴は、床パンにおける床パン排水口の内周面の上端部に、床パン排水口の外周側に向って水平方向に広がる移動部材収容凹部を設けるとともに、移動部材収容凹部の外周部上端に、移動部材収容凹部の外周部上端から移動部材収容凹部の内部側に向って水平方向に延び中央に床パン排水口よりも直径が大きな挿通穴が形成された抜け止め部を設け、抜け止め部によって抜け止めした状態で、移動部材を移動部材収容凹部内に移動可能に設置したことにある。
【００１０】
この浴槽の排水構造によると、移動部材が、抜け止め部によって移動部材収容凹部内から抜け止めされた状態で水平方向に移動可能になるため、移動部材の連通穴と床パン排水口との連通状態を確実に維持できるようになる。また、移動部材は、移動部材収容凹部内だけで移動するため、移動部材の移動範囲を適正にすることができる。
【００１１】
また、本発明に係る浴槽の排水構造のさらに他の構成上の特徴は、抜け止め部の挿通穴を、円形の穴部周縁の所定部分に、穴部周縁から外側に突出する切欠き部を設けた形状に形成するとともに、移動部材を挿通穴と略等しい形状で、かつ挿通穴を挿通できる大きさに形成し、移動部材を移動部材収容凹部内に入れた状態で軸周り方向に回転すると、移動部材の円形部分から突出した部分が抜け止め部に係合して移動部材が移動部材収容凹部から抜け止めされるようにしたことにある。
【００１２】
これによると、移動部材を移動部材収容凹部に対して着脱自在にすることができる。この場合の切欠き部は、１個としてもよいし複数個としてもよい。また、切欠き部およびそれに対応する移動部材の突出した部分の大きさは、移動部材が移動部材収容凹部内で移動する移動範囲に支障を生じさせない大きさにする。
【００１３】
また、本発明に係る浴槽の排水構造のさらに他の構成上の特徴は、接続部材の上端部を連結部の下端側部分に固定し、接続部材の下端部を移動部材に追従して移動できるように移動部材に付勢または接続したことにある。この場合、接続部材を移動部材に対して押し付けたり、移動部材の上面における連通穴の周囲に係合部を形成し、その係合部に接続部材の下端部を係合させたりして、移動部材が接続部材とともに移動するようにすることができる。また、接続部材の上端部が連結部に固定されているため、接続部材が連結部や移動部材から外れ難くなる。さらに、連通部の上部側部分が露出するため、この部分に他の部材、例えば、排水栓に接続されたケーブルを通すための管状部材等を連結することができる。
【００１４】
また、本発明に係る浴槽の排水構造のさらに他の構成上の特徴は、接続部材を弾性を備え上端開口が外側に向って広がった略蛇腹状の部材で構成して、接続部材の下端部を移動部材に固定するとともに、接続部材の上端開口内に連結部の下端部を位置決めし、接続部材の上端部が連結部に追従して移動できるように接続部材を連結部に付勢したことにある。
【００１５】
この場合の接続部材は、多数の小径部と大径部とが交互に形成された蛇腹状の部材で構成してもよいし、小径部と大径部との少なくとも一方が２個形成されたもので構成してもよい。また、接続部材の連結部に対する付勢力は、接続部材が多少収縮する程度のものであってもよいし、接続部材が、連結部と移動部材とによって圧縮させる程度のものであってもよい。この発明によっても、浴槽の水を確実に排水できる。
【発明を実施するための最良の形態】
【００１６】
（第１実施形態）
以下、本発明の第１実施形態に係る浴槽の排水構造を図面を用いて説明する。図１に示すように、浴槽１０は、床パン２０の上面に設置されており、浴槽１０の底部に浴槽１０内の湯や水を排出するための金属製の排水栓１１が設けられている。また、浴槽１０の上面周縁部には、排水栓１１を開閉操作するための図示しない押しボタン式の操作スイッチが設けられ、この操作スイッチは、レリースケーブル１４および収容ボックス（図示せず）を介して排水栓１１に接続されている。収容ボックス内には、操作スイッチの操作に応じて、排水栓１１を上下移動させるための駆動装置が収容されている。
【００１７】
また、排水栓１１が取り付けられた浴槽１０の底部には、穴部１５が設けられその穴部１５に本発明の浴槽排水口を構成する円筒状の排水口部材１６が固定されている。この排水口部材１６の下部側部分は、軸方向の長さが短い筒状に形成され、排水口部材１６の上部側部分は、下部側部分から上方に行くほど直径が大きくなったテーパを備えたリング状に形成されている。そして、排水口部材１６の内周面１６ａにおける上部側のテーパ状の部分に対して排水栓１１が進退可能になっている。
【００１８】
また、排水口部材１６の下方に、浴槽１０の底部から下方に突出する筒状の連結部１７が取り付けられている。この連結部１７の上端部には、浴槽１０の底部における穴部１５の周縁部に位置決めされるフランジ状の位置決め部１７ａが形成され、連結部１７の下端部には、位置決め部１７ａよりも直径の大きなフランジ状の押圧部１７ｂが形成されている。そして、連結部１７の一側部には、レリースケーブル１４を挿通させるための挿通筒１７ｃが突出しており、この挿通筒１７ｃにレリースケーブル１４を収容するチューブ部材１４ａが接続されている。
【００１９】
床パン２０における連結部１７の下方の部分には、本発明の床パン排水口を構成する排水口部材２１が取り付けられている。この排水口部材２１は、軸方向の長さが短い略円筒状の部材で構成されており、その上端部に外側に延びる略フランジ状の凹部形成部２２が設けられ、その内部に本発明の移動部材収容凹部としての凹部２３が形成されている。そして、凹部２３内に移動部材２４が水平方向に移動可能な状態で設置されている。
【００２０】
すなわち、凹部形成部２２は、排水口部材２１の上端周縁部から外側に向って水平方向に延びるフランジ状の底部２２ａと、底部２２ａの周縁部から上方に向って延びる高さの低い円筒状の壁部２２ｂと、壁部２２ｂの上端部に、水平方向に延びるように形成された幅の広いリング状の抜け止め部２２ｃとで構成されている。抜け止め部２２ｃは床パン２０の上面部と同一面内に位置するように設置されており、抜け止め部２２ｃの内周側縁部は排水口部材２１の内周面よりも外側に位置している。
【００２１】
すなわち、抜け止め部２２ｃの内周側縁部で挿通穴２５が形成されており、この挿通穴２５の内径は、排水口部材２１の内径よりも大きく設定されている。また、挿通穴２５は、平面視が図２に示した形状に形成されている。この挿通穴２５は、円形の穴部２５ａの周縁部に、略円弧状で円弧に沿った方向の長さが短い４個の切欠き部２５ｂを９０度の角度間隔で設けて構成されている。そして、底部２２ａ、壁部２２ｂおよび抜け止め部２２ｃで囲まれる部分で凹部２３が構成されている。
【００２２】
移動部材２４は、中央に連通穴２６が形成された略リング状の部材で構成されており、水平方向に延びるように形成された幅の広いリング状の本体２４ａと、本体２４ａの上面内周側縁部に沿って形成されたリング状の係合突部２４ｂとで構成されている。また、本体２４ａは、図２に示したように、平面視が抜け止め部２２ｃの挿通穴２５と略同形で、挿通穴２５よりもやや小さく形成されている。すなわち、本体２４ａはリング状部２７ａの周縁部に略円弧状で円弧に沿った方向の長さが短い４個の係合突部２７ｂを９０度の角度間隔で設けて構成されている。
【００２３】
したがって、挿通穴２５の上方に移動部材２４を位置させ、リング状部２７ａを穴部２５ａに合わせるとともに、各係合突部２７ｂをそれぞれ切欠き部２５ｂに合わせた状態で、移動部材２４を下降させることにより、凹部２３内に入れることができる。そして、凹部２３内に入れた移動部材２４を、図２に示した矢印ａの方向に回転することにより、移動部材２４を凹部２３から抜け止めすることができる。また、係合突部２７ｂを含めた本体２４ａの外径は、壁部２２ｂの内径よりも小さく設定され、本体２４ａの内径は、排水口部材２１の内径よりもやや小さく設定されている。また、本体２４ａの厚みは、本体２４ａが凹部２３内を水平方向に摺動できる厚みに形成されている。
【００２４】
したがって、移動部材２４の本体２４ａは、係合突部２４ｂが抜け止め部２２ｃの内周面に当接するまでの範囲内で、凹部２３内で水平方向に移動可能になっている。また、移動部材２４の内周面における本体２４ａと係合突部２４ｂとの境界部分には、係合溝２４ｃが形成されており、この係合溝２４ｃに、接続部材２８の下端周縁部が固定されている。この接続部材２８は、可撓性および弾性を備えたゴムからなっており、略円筒状に形成されている。すなわち、この接続部材２８は、係合溝２４ｃに固定された下端部の上部側部分が係合突部２４ｂの内周面及び上面を覆うようにして、水平方向の外部側に向かって延びている。
【００２５】
そして、接続部材２８の下部側外周部分は、壁部２２ｂに対応する部分で、屈曲して内部側上方に延び、その後さらに屈曲して外部側上方に延びている。このため、接続部材２８の上端開口２８ａは、下部側から上方に行くほど外部側に広がったテーパ状に形成されている。この接続部材２８は、上端開口２８ａの内部側に連結部１７の押圧部１７ｂを位置決めさせた状態で、連結部１７側に付勢される（浴槽１０を設置する際には、連結部１７が接続部材２８を押圧する。）ことにより、連結部１７の内部と、排水口部材２１の内部とを連通穴２６を介して連通する。また、排水口部材２１は、洗い場フロアに設けられた図示しない排水口の下方を通過して外部に延びる排水管（図示せず）に接続されており、浴槽１０から排出される湯水は、この排水管から外部に排出される。
【００２６】
この構成において、床パン２０の上面に、浴槽１０を設置する場合には、まず、図２に示したように、移動部材２４を、凹部２３内に入れたのちに矢印ａの方向に回転して、凹部２３からの抜け止めをしておく。ついで、床パン２０における浴槽１０の設置位置の上方に浴槽１０を位置させて、図１の状態にする。この場合、浴槽１０側の連結部１７と、床パン２０側の接続部材２８の上端開口２８ａとの位置がずれて、図３に示した状態になっていれば、連結部１７の押圧部１７ｂの一方側の縁部が、上端開口２８ａの一方側部分を下方に押すようになる。
【００２７】
このとき、押圧部１７ｂによって押される上端開口２８ａは傾斜面になっているため、上端開口２８ａは、下方だけでなく、水平方向における一方側にも押される。このため、接続部材２８は、移動部材２４とともに、凹部２３内を一方側に移動して図４に示した状態になる。この状態では、連結部１７の中心と、接続部材２８の中心とは略同じ軸線上に位置するようになる。この場合、移動部材２４が移動しなければ、作業者の手作業によって、移動部材２４を移動させて図４の状態にする。その状態で、浴槽１０を下降させることにより図５に示した状態になる。
【００２８】
この状態では、接続部材２８は連結部１７によって下方に押圧されて収縮した状態になり、連結部１７と移動部材２４との間を密閉する。このため、連結部１７と排水口部材２１とは、中心軸がずれた状態にはなるが、移動部材２４および接続部材２８を介して適正な状態で連通する。この結果、浴槽１０内に湯水を溜めた状態で、操作スイッチを操作して排水栓１１を上昇させ、排水口部材１６を開けると、浴槽内の湯水は、排水口部材１６、連結部１７、接続部材２８、移動部材２４の連通穴２６および排水口部材２１を通ったのちに排水管を通って外部に排出される。また、浴槽１０の設置後に、気温の変化により浴槽１０が伸縮しても、移動部材２４が、接続部材２８とともに浴槽の伸縮に追従して移動するため、連結部１７から排水口部材２１までの間に漏れは生じない。この結果、排水管への確実な排水が行える。
【００２９】
このように、本発明に係る浴槽の排水構造では、床パン２０の上面における排水口部材２１の上端部周囲に、凹部形成部２２を形成し、この凹部形成部２２の内部に形成された凹部２３に、移動部材２４を水平方向に移動可能な状態で設置している。そして、この移動部材２４と、浴槽１０の底部に設けられた連結部１７とを、接続部材２８で接続している。したがって、気温の変化により浴槽１０が収縮したり膨張したりして、連結部１７と排水口部材２１との間に位置ずれが生じても、浴槽１０の収縮・膨張とともに移動部材２４および接続部材２８が移動する。
【００３０】
このため、連結部１７と接続部材２８との接続部分または接続部材２８と移動部材２４との接続部分が外れて、浴槽１０から排出される水が床パン２０の上面に流れるといったことが防止される。また、浴槽１０を床パン２０の上面に設置する際に、寸法誤差等により浴槽１０の位置が多少ずれていても、浴槽１０とともに移動部材２４および接続部材２８が移動する。また、移動部材２４が移動しなかった場合には、作業者の手作業により移動部材２４を移動させることができる。このため、浴槽１０の設置が容易になる。また、移動部材２４が、抜け止め部２２ｃによって凹部２３内から抜け止めされた状態で水平方向に移動可能になっているため、移動部材２４の連通穴２６と排水口部材２１との連通状態を確実に維持できる。
【００３１】
（第２実施形態）
図６ないし図９は、本発明の第２実施形態に係る浴槽の排水構造を示している。この浴槽の排水構造では、連結部４７の押圧部４７ｂが位置決め部４７ａと略同じ大きさに形成されている。そして、押圧部４７ｂの下端部に、接続部材４８が固定されている。この接続部材４８は、軸方向の中央部が外部側に広がった筒状に形成されており、可撓性および弾性を備えている。また、移動部材４４は、移動部材２４の本体２４ａおよび係合突部２４ｂと略同形の本体４４ａおよび係合突部４４ｂとで構成されており、係合溝は備えていない。この浴槽の排水構造におけるそれ以外の部分の構成については、前述した第１実施形態に係る浴槽の排水構造と同一である。したがって、同一部分に同一符号を記して説明は省略する。
【００３２】
この構成において、床パン２０の上面に、浴槽１０を設置する場合には、まず、移動部材４４を、凹部２３内に入れたのちに回転して、凹部２３からの抜け止めをしておく。ついで、床パン２０における浴槽１０の設置位置の上方に浴槽１０を位置させて、図６の状態にする。この場合、浴槽１０側の接続部材４８と、床パン２０側の移動部材４４との位置がずれて、図７に示した状態になっていれば、移動部材４４を図７の矢印ｂの方向に移動させて、図８の状態にする。
【００３３】
この状態では、移動部材４４の中心軸と、接続部材４８の中心軸とは略同じ線上に位置するようになる。その状態で、浴槽１０を下降させることにより図９に示した状態になる。この状態では、接続部材４８は移動部材４４を押圧することにより、連結部４７と移動部材４４とに挟まれて収縮した状態になり、連結部４７と移動部材４４との間を密閉する。このため、連結部４７と排水口部材２１とは、中心軸がずれた状態になるが、移動部材４４および接続部材４８を介して適正な状態で連通する。
【００３４】
この場合も、気温の変化により浴槽１０が収縮したり膨張したりして、連結部４７と排水口部材２１との間に位置ずれが生じても、浴槽１０とともに移動部材４４が移動する。このため、接続部材４８と移動部材４４との接続部分が外れて、浴槽１０から排出される水が床パン２０の上面に流れるといったことが防止される。また、浴槽１０を床パン２０の上面に設置する際に、寸法誤差等により浴槽１０の位置が多少ずれていても、移動部材４４を移動させることにより、接続部材４４を移動部材４４に圧接するための適正位置に移動部材４４を位置させることができる。このため、浴槽１０の設置が容易になる。この浴槽の排水構造におけるそれ以外の作用効果については、前述した第１実施形態に係る浴槽の排水構造と同様である。
【００３５】
また、本発明に係る浴槽の排水構造は、前述した実施形態に限定するものでなく、適宜変更することができる。例えば、前述した各実施形態では、接続部材２８，４８を押し潰した状態で浴槽１０を設置しているが、浴槽１０を設置した状態でも接続部材２８，４８が多少収縮するだけで所定の長さを維持できるようにすることもできる。この場合、接続部材を蛇腹状でなく真直ぐな筒状に形成することもできる。また、前述した各実施形態では、挿通穴２５に４個の切欠き部２５ｂを設け、移動部材２４の本体２４ａに４個の係合突部２７ｂを設けているが、この切欠き部や係合突部の数は、１個でもよいし４個以外の複数個でもよい。また、切欠き部や係合突部の形状も円弧状に限らず種々の形状に適宜変更することができる。
【００３６】
また、前述した第２実施形態に係る浴槽の排水構造では、浴槽１０が設置されたときに、接続部材４８の外周面下端部が、移動部材４４の係合突部４４ｂの上面に押し付けられるようにしているが、このときに、接続部材４８の下端開口部が係合突部４４ｂに係合するようにすることもできる。また、本発明に係る浴槽の排水構造を構成するそれ以外の部材についても、その部材と同様の作用効果を奏することのできるものであれば他の部材に置き換えて使用したり設計変更したりすることができる。
【図面の簡単な説明】
【００３７】
【図１】浴槽を設置する前の排水構造を示した断面図である。
【図２】抜け止め部と移動部材とを示した平面図である。
【図３】浴槽を設置する前の排水構造における接続部材に対する連結部の位置がずれた状態を示した断面図である。
【図４】浴槽を設置する前の排水構造における接続部材を連結部の位置に合わせた状態を示した断面図である。
【図５】浴槽を設置したときの排水構造を示した断面図である。
【図６】第２実施形態における浴槽を設置する前の排水構造を示した断面図である。
【図７】第２実施形態の排水構造における浴槽を設置する前の移動部材に対する接続部材の位置がずれた状態を示した断面図である。
【図８】図７の排水構造における移動部材を接続部材の位置に合わせた状態を示した断面図である。
【図９】第２実施形態における浴槽を設置したときの排水構造を示した断面図である。
【符号の説明】
【００３８】
１０…浴槽、１５…穴部、１６…排水口部材、１７，４７…連結部、２０…床パン、２１…排水口部材、２２…凹部形成部、２２ａ…底部、２２ｂ…壁部、２２ｃ…抜け止め部、２３…凹部、２４，４４…移動部材、２５…挿通穴、２６…連通穴、２７ａ…リング状部、２７ｂ…係合突部、２８，４８…接続部材、２８ａ…上端開口。
【図１】
2007154545.tif 000003
【図２】
2007154545.tif 000004
【図３】
2007154545.tif 000005
【図４】
2007154545.tif 000006
【図５】
2007154545.tif 000007
【図６】
2007154545.tif 000008
【図７】
2007154545.tif 000009
【図８】
2007154545.tif 000010
【図９】
2007154545.tif 000011